(57)【特許請求の範囲】
【請求項１】
温度と振動と音と湿度と気圧と空気中の特定物質の少なくとも１つを検知するセンサーを含む検知装置を複数有する検知部と、
無線通信で、前記複数の検知装置のそれぞれから受信した、検知装置の識別情報と、前記センサーで得られた情報と、時間情報とに基づいて、所定の画面を表示可能な情報を出力する集計部とを備え、
前記検知装置は、前記センサーとして、第１センサーと第２センサーを有し、
前記第１センサーは、前記第２センサーよりも上方に配置され、
前記複数の検知装置で得られた情報が、異なるタイミングで、前記集計部に送信されるようにタイミング制御が行われ、
前記所定の画面は、第１画面と第２画面を有し、
前記第１画面は、前記識別情報に対応するセンサーの名称と前記識別情報の少なくとも一方と、前記センサーで得られた情報と、前記時間情報の関係を示す一覧表を有し、
前記第２画面は、前記複数の検知装置の第１センサーと第２センサーの位置関係と、特定の時間帯に含まれる前記時間情報に対応する前記第１センサーと前記第２センサーで得られた情報を図示するものであり、
前記第１センサーで得られた情報の図示は、前記第１センサーで得られた情報と、所定の情報閾値との比較結果に基づいて行われ、
前記第２センサーで得られた情報の図示は、前記第２センサーで得られた情報と、前記情報閾値との比較結果に基づいて行われる、試験システム。
【請求項２】
温度と振動と音と湿度と気圧と空気中の特定物質の少なくとも１つを検知するセンサーを含む検知装置を複数有する検知部と、
無線通信で、前記複数の検知装置のそれぞれから受信した、検知装置の識別情報と、前記センサーで得られた情報と、時間情報とに基づいて、所定の画面を表示可能な情報を出力する集計部とを備え、
前記検知装置は、前記センサーとして、第１センサーと第２センサーを有し、
前記第１センサーは、前記第２センサーよりも上方に配置され、
抵抗器を含む抵抗部と、前記抵抗部を冷却する冷却部とを有する負荷装置を複数備え、
前記検知装置の少なくとも１つは、前記複数の負荷装置のうちの２つの間に配置され、
前記負荷装置は、前記抵抗部の上方に、前記抵抗部からの冷却風を前後方向及び左右方向に排出させる排気誘導部を有し、
前記複数の検知装置は、試験対象領域に設置され、
前記複数の負荷装置は、空調設備の負荷試験のため、前記試験対象領域におけるサーバーが設置される箇所に設置される、試験システム。
【請求項３】
前記集計部への、前記識別情報と、前記センサーで得られた情報と、前記時間情報の送信は、同じデータについて複数回行われる、請求項１と請求項２のいずれかに記載の試験システム。
【請求項４】
前記複数の検知装置で得られた情報が、異なるタイミングで、前記集計部に送信されるように、タイミング制御が行われる、請求項２に記載の試験システム。
【請求項５】
前記所定の画面は、第１画面を有し、
前記第１画面は、前記識別情報に対応するセンサーの名称と前記識別情報の少なくとも一方と、前記センサーで得られた情報と、前記時間情報の関係を示す一覧表を有する、請求項２に記載の試験システム。
【請求項６】
前記所定の画面は、第２画面を有し、
前記第２画面は、前記複数の検知装置の位置関係と、特定の時間帯に含まれる前記時間情報に対応する前記センサーで得られた情報を図示するものであり、
前記センサーで得られた情報の図示は、前記センサーで得られた情報と、所定の情報閾値との比較結果に基づいて行われる、請求項２に記載の試験システム。
【請求項７】
前記比較結果に基づいて、音の出力が行われる、請求項１に記載の試験システム。
【請求項８】
前記比較結果に基づいて、音の出力が行われる、請求項６に記載の試験システム。
【請求項９】
抵抗器を含む抵抗部と、前記抵抗部を冷却する冷却部とを有する負荷装置を複数備え、
前記検知装置の少なくとも１つは、前記複数の負荷装置のうちの２つの間に配置される、請求項１に記載の試験システム。
【請求項１０】
前記負荷装置は、前記抵抗部の上方に、前記抵抗部からの冷却風を前後方向及び左右方向に排出させる排気誘導部を有し、
前記複数の検知装置は、試験対象領域に設置され、
前記複数の負荷装置は、空調設備の負荷試験のため、前記試験対象領域におけるサーバーが設置される箇所に設置される、請求項９に記載の試験システム。
【請求項１１】
前記負荷装置の電気プラグは、前記試験対象領域の天井に設けられた商用電源のコンセントに差し込まれ、
前記電気プラグ及び前記コンセントの温度情報を得るため、前記センサーは、前記電気プラグの近傍にも設けられる、請求項１０に記載の試験システム。
【発明の詳細な説明】
【技術分野】
【０００１】
本発明は、試験システムに関する。
【背景技術】
【０００２】
従来、特許文献１のように、各部の状態を検知して運転制御（オフ制御）を行う負荷試験装置などが提案されている。
【先行技術文献】
【特許文献】
【０００３】
【特許文献１】特許５５５１３２４号公報
【発明の概要】
【発明が解決しようとする課題】
【０００４】
しかし、２〜３の部位で得られた異なる種類の情報を受信するだけであり、多くの同じ情報が送信されるシステムが考慮されていなかった。【０００５】
したがって本発明の目的は、配線が容易で且つ、同じ時間帯に複数の情報を集めることが可能な試験システムを提供することである。
【課題を解決するための手段】
【０００６】
本発明に係る試験システムは、温度と振動と音と湿度と気圧と空気中の特定物質の少なくとも１つを検知するセンサーを含む検知装置を複数有する検知部と、無線通信で、複数の検知装置のそれぞれから受信した、検知装置の識別情報と、センサーで得られた情報と、時間情報とに基づいて、所定の画面を表示可能な情報を出力する集計部とを備える。【０００７】
無線通信により、複数の検知装置を含む検知部で得られた情報を集計部が受信する。このため、試験対象領域への配線が容易で且つ、同じ時間帯に複数の情報を集計部に集めることが可能になる。【０００８】
好ましくは、検知装置は、センサーとして、第１センサーと第２センサーを有する。第１センサーは、第２センサーよりも上方に配置される。【０００９】
検知装置のそれぞれは、上下方向に複数のセンサーを有するため、温度などの検知情報について、高さ方向の違いによる検知結果の差異を視認させることが可能になる。【００１０】
さらに好ましくは、集計部への、識別情報と、センサーで得られた情報と、時間情報の送信は、同じデータについて複数回行われる。【００１１】
複数回の送信のうち何れかを集計部が受信することにより、センサーからの情報を受信し損ねる可能性を低くすることが出来る。【００１２】
さらに好ましくは、複数の検知装置で得られた情報が、異なるタイミングで、集計部に送信されるように、タイミング制御が行われる。【００１３】
集計部が複数の異なる情報を同じ時間帯に到達した情報について、同じ時刻に到達する場合に比べて、受信し損ねる可能性を低くすることが出来る。【００１４】
さらに好ましくは、所定の画面は、第１画面を有する。第１画面は、識別情報に対応するセンサーの名称と識別情報の少なくとも一方と、センサーで得られた情報と、時間情報の関係を示す一覧表を有する。【００１５】
第１画面の出力により、センサーで得られた情報を使った細かい情報の分析が可能になる。【００１６】
さらに好ましくは、所定の画面は、第２画面を有する。第２画面は、複数の検知装置の位置関係と、特定の時間帯に含まれる時間情報に対応するセンサーで得られた情報を図示する。【００１７】
第２画面の出力により、センサーで得られた情報の内容を容易に視認することが可能になる。【００１８】
さらに好ましくは、センサーで得られた情報の図示は、センサーで得られた情報と、所定の情報閾値との比較結果に基づいて行われる。【００１９】
さらに好ましくは、比較結果に基づいて、音の出力が行われる。【００２０】
さらに好ましくは、試験システムは、抵抗器を含む抵抗部と、抵抗部を冷却する冷却部とを有する負荷装置を複数備える。検知装置の少なくとも１つは、複数の負荷装置のうちの２つの間に配置される。【００２１】
さらに好ましくは、負荷装置は、抵抗部の上方に、抵抗部からの冷却風を横方向に排出させる排気誘導部を有する。複数の検知装置は、試験対象領域に設置される。複数の負荷試験装置は、試験対象領域におけるサーバーが設置される箇所に設置される。【００２２】
複数の負荷装置のそれぞれに排気誘導部を設けることにより、上方に流れる温められた冷却風が、試験対象領域の上面（天井）に直接到達するのを防止出来る。【００２３】
試験システムを、空調設備を含む試験対象領域に用いることにより、当該試験対象領域の所定の場所（複数の検知装置を設置した場所の周囲）の温度情報、当該試験対象領域の温度分布などを知ることが可能になる。温度情報などにより、負荷装置の代わりにサーバーを設置した場合に、試験対象領域の空調設備がサーバーの冷却を適切に行うことが出来るか否か、に関する負荷試験を行うことが可能になる。【００２４】
さらに好ましくは、センサーは、負荷装置の電気プラグの近傍にも設けられる。【００２５】
負荷装置を使った空調試験時における、電気プラグ及び電気プラグが差し込まれるコンセントの温度情報などを得ることが可能になる。
【発明の効果】
【００２６】
以上のように本発明によれば、配線が容易で且つ、同じ時間帯に複数の情報を集めることが可能な試験システムを提供することができる。
【図面の簡単な説明】
【００２７】
【図１】本実施形態の試験対象領域の内部の構成を示す斜視図である。
【図２】本実施形態の試験システムの構成を示す斜視図である。
【図３】試験対象領域に設置された第１負荷装置〜第１６負荷装置と第１検知装置〜第１２検知装置を示す斜視図である。
【図４】試験対象領域に設置された第１負荷装置〜第１６負荷装置と第１検知装置〜第１２検知装置を示す上面図である。
【図５】第１負荷装置と第１検知装置の斜視図である。
【図６】第１画面の例である。
【図７】第２画面の例である。
【図８】天井に設けられたコンセント（電気ソケット）を含む試験対象領域の内部の構成を示す斜視図である。
【図９】電気プラグが図示された負荷装置を含む試験システムの構成を示す斜視図である。
【発明を実施するための形態】
【００２８】
以下、本実施形態について、図を用いて説明する。
なお、実施形態は、以下の実施形態に限られるものではない。また、一つの実施形態に記載した内容は、原則として他の実施形態にも同様に適用される。また、各実施形態及び各変形例は、適宜組み合わせることが出来る。
【００２９】
試験システム１は、負荷部１０（第１負荷装置Ａ０１〜第１６負荷装置Ａ１６）、検知部３０（第１検知装置Ｂ０１〜第１２検知装置Ｂ１２）、集計部５０を備え、空調設備の負荷試験を行うためなどに用いられる（図１〜図７参照）。
本実施形態では、試験システム１が、空調設備の負荷試験を行うものとして説明する。
しかしながら、試験システム１は、熱を発生させる負荷部１０を疑似負荷として用い、複数の検知装置を含む検知部３０が負荷部１０の周囲の温度などの情報を取得し、集計部５０に送信するものであれば、空調設備の負荷試験以外のものに使用されてもよい。
【００３０】
方向を説明するために、水平方向（左右方向）をｘ方向とし、ｘ方向に垂直な水平方向（前後方向）をｙ方向とし、ｘ方向とｙ方向に垂直な方向（上下方向）をｚ方向として説明する。
図１において、ｘｙｚ軸のそれぞれの矢印が指し示す方向をそれぞれ右方向、前方向、上方向と定義する。
また、図２と図４では、本来サーバーＳ（第１サーバーＳ１〜第４サーバーＳ４）が設置される領域が点線で示される。
【００３１】
（負荷部１０）
負荷部１０は、複数の負荷装置を有する。
複数の負荷装置は、試験対象領域ＴＲのサーバーＳの代わりに、同等の熱を発生させる負荷（疑似負荷）として用いられる。
複数のサーバーが設置された領域の空調設備の負荷試験を行う場合には、複数のサーバーが本来設置される箇所に、当該サーバーを設置する代わりに当該複数の負荷装置が設置される。
ただし、負荷装置が、サーバーと他のサーバーの間など、複数のサーバーが本来設置される箇所以外の領域に設けられてもよい。
【００３２】
本実施形態では、サーバーＳ（第１サーバーＳ１〜第４サーバーＳ４）が設置された領域（試験対象領域ＴＲ）の空調設備Ｃ（第１エアーコンディショナーＣ１〜第４エアーコンディショナーＣ４）の負荷試験を行う例を説明する（図１参照）。
第１サーバーＳ１、第２サーバーＳ２、第３サーバーＳ３、第４サーバーＳ４は、ｘ方向左方向からｘ方向右方向に並べられる。
第１サーバーＳ１〜第４サーバーＳ４のそれぞれは、ｙ方向に延びる１つのコンピューターサーバーで構成される形態であってもよいし、ｙ方向に並べられた複数のコンピューターサーバーで構成される形態であってもよい。
【００３３】
複数の負荷装置として、第１負荷装置Ａ０１〜第４負荷装置Ａ０４が、第１サーバーＳ１の設置箇所に設置され、第５負荷装置Ａ０５〜第８負荷装置Ａ０８が、第２サーバーＳ２の設置箇所に設置され、第９負荷装置Ａ０９〜第１２負荷装置Ａ１２が、第３サーバーＳ３の設置箇所に設置され、第１３負荷装置Ａ１３〜第１６負荷装置Ａ１６が、第４サーバーＳ４の設置箇所に設置される（図２参照）。
【００３４】
第１負荷装置Ａ０１、第２負荷装置Ａ０２、第３負荷装置Ａ０３、第４負荷装置Ａ０４は、ｙ方向後方からｙ方向前方向に並べられる（図３、図４参照）。
第５負荷装置Ａ０５、第６負荷装置Ａ０６、第７負荷装置Ａ０７、第８負荷装置Ａ０８は、ｙ方向後方からｙ方向前方向に並べられる。
第９負荷装置Ａ０９、第１０負荷装置Ａ１０、第１１負荷装置Ａ１１、第１２負荷装置Ａ１２は、ｙ方向後方からｙ方向前方向に並べられる。
第１３負荷装置Ａ１３、第１４負荷装置Ａ１４、第１５負荷装置Ａ１５、第１６負荷装置Ａ１６は、ｙ方向後方からｙ方向前方向に並べられる。
【００３５】
ただし、負荷部１０として設けられる負荷装置の数はこれに限るものではない。
試験対象領域ＴＲに設けられたサーバーＳが通常運転時に発する熱量と同等の熱量を発するように、負荷装置の数及び配置位置が決定される。
【００３６】
（第１負荷装置Ａ０１の構成）
次に、第１負荷装置Ａ０１の構成を説明する。
なお、第２負荷装置Ａ０２〜第１６負荷装置Ａ１６も、第１負荷装置Ａ０１と同じ構成を有する。
【００３７】
第１負荷装置Ａ０１は、冷却部１１、抵抗部１３、排気誘導部１５、操作部１７を有する（図５参照）。
冷却部１１は、側面、下面などに吸気口が設けられ、吸気口を介して入り込んだ冷却風をｚ方向上方に送る。
抵抗部１３は、冷却部１１のｚ方向上方に配置される。
抵抗部１３は、抵抗器を有し、抵抗器に電流が流れることにより、熱を発生する。
抵抗部１３は、冷却部１１からの冷却風により冷却される。
また、抵抗部１３は、空調設備Ｃからの冷却風によっても冷却される。
抵抗部１３を通った冷却風は、ｚ方向上方の排気誘導部１５を介して、外部に排出される。
排気誘導部１５は、抵抗部１３のｚ方向上方に設けられる。
排気誘導部１５は、下面と側面が開口し、上面が閉口する。
抵抗部１３からｚ方向上方に排出された冷却風は、排気誘導部１５の上面に当たって、排気誘導部１５の側面から外部に排出される。
【００３８】
第１負荷装置Ａ０１〜第１６負荷装置Ａ１６のそれぞれに排気誘導部１５を設けることにより、ｚ方向上方に流れる温められた冷却風が、試験対象領域ＴＲの上面（天井）に直接到達するのを防止出来る。
【００３９】
冷却部１１と抵抗部１３への電力供給は、商用電源など、サーバーＳに電力を供給する電源と同じものから行われるのが望ましい。
操作部１７は、第１負荷装置Ａ０１のオンオフ制御、抵抗部１３の抵抗器への電力供給のオンオフ制御などのために使用される。
例えば、試験対象領域ＴＲの天井に商用電源のコンセント（電気プラグの差し込み口）ＳＫが設けられた場合には、当該コンセントＳＫに、第1負荷装置Ａ０１の電気プラグＰＬが差し込まれる（図８、図９参照）。
ただし、商用電源のコンセントＳＫが設けられる場所は、試験対象電源ＴＲの天井に限るものではなく、側壁若しくは底面に設けられても良い。
【００４０】
（検知部３０）
検知部３０は、複数の検知装置を有する。
複数の検知装置は、試験対象領域ＴＲの複数箇所の温度などを検知するセンサーとして用いられる。
複数の検知装置は、複数の負荷装置の周囲に配置される。
複数のサーバーが設置された領域の空調設備の負荷試験を行う場合には、複数のサーバーが本来設置される箇所の周囲に、当該複数の検知装置が設置される。
【００４１】
本実施形態では、複数の検知装置として、第１検知装置Ｂ０１〜第４検知装置Ｂ０４が、第１サーバーＳ１と第２サーバーＳ２の設置箇所の間に設置され、第５検知装置Ｂ０５〜第８検知装置Ｂ０８が、第２サーバーＳ２と第３サーバーＳ３の設置箇所の間に設置され、第９検知装置Ｂ０９〜第１２検知装置Ｂ１２が、第３サーバーＳ３と第４サーバーＳの設置箇所の間に設置される（図２参照）。
【００４２】
第１検知装置Ｂ０１、第２検知装置Ｂ０２、第３検知装置Ｂ０３、第４検知装置Ｂ０４は、ｙ方向後方からｙ方向前方向に並べられる（図３、図４参照）。
第５検知装置Ｂ０５、第６検知装置Ｂ０６、第７検知装置Ｂ０７、第８検知装置Ｂ０８は、ｙ方向後方からｙ方向前方向に並べられる。
第９検知装置Ｂ０９、第１０検知装置Ｂ１０、第１１検知装置Ｂ１１、第１２検知装置Ｂ１２は、ｙ方向後方からｙ方向前方向に並べられる。
【００４３】
ただし、検知部３０として設けられる検知装置の数はこれに限るものではないし、配置位置もこれに限るものではない。
例えば、検知装置が、サーバーと試験対象領域ＴＲの内壁との間などに設けられてもよい。
【００４４】
（第１検知装置Ｂ０１の構成）
次に、第１検知装置Ｂ０１の構成を説明する。
なお、第２検知装置Ｂ０２〜第１２検知装置Ｂ１２も、第１検知装置Ｂ０１と同じ構成を有する。
【００４５】
第１検知装置Ｂ０１は、保持部３１と、第１センサー３３ａと、第２センサー３３ｂを有する（図５参照）。
保持部３１は、ｚ方向に延びる棒状部材などで構成されたセンサー設置部３１ａと、センサー設置部３１ａを支える土台部３１ｂを有する。
第１センサー３３ａと第２センサー３３ｂは、周囲の温度を検知し、検知した温度に関する情報を集計部５０に送信する。
第１センサー３３ａと第２センサー３３ｂは、保持部３１のセンサー設置部３１ａに取り付けられる。
第１センサー３３ａは、第２センサー３３ｂよりもｚ方向上方に取り付けられる。
【００４６】
ただし、第１検知装置Ｂ０１に設けられるセンサーの数はこれに限るものではない。
【００４７】
第１センサー３３ａと第２センサー３３ｂは、第１時間ｔ１（例えば、ｔ１＝１分）ごとに、周囲の温度を検知し、検知した温度に関する情報を、検知した時間情報と自身の識別情報と共に、集計部５０に送信する。
【００４８】
第１センサー３３ａと集計部５０の間、及び第２センサー３３ｂと集計部５０の間で行われる無線通信の無線通信手段は、ＲＦタグの通信方式が考えられる。また、当該無線通信手段は、IEEE802.15.1（Bluetooth（登録商標））、IEEE802.11（無線LAN）など、当該無線通信手段をオン状態にしている間、外部に自身の識別情報を発信するものでもよい。
【００４９】
（送信のタイミング制御）
集計部５０に検知した情報を送信するタイミングは、第１検知装置Ｂ０１〜第１２検知装置Ｂ１２のそれぞれが、異なるタイミングで、検知した情報を集計部５０に送信するように、タイミング制御が行われるのが望ましい。
例えば、第１検知装置Ｂ０１の第１センサー３３ａで集計部５０への情報送信が行われてから第２時間ｔ２（例えば、ｔ２＝１秒）経過してから、第１検知装置Ｂ０１の第２センサー３３ｂで集計部５０への情報送信が行われる。
第１検知装置Ｂ０１の第２センサー３３ｂで集計部５０への情報送信が行われてから第２時間ｔ２経過してから、第２検知装置Ｂ０２の第１センサー３３ａで集計部５０への情報送信が行われる。
第２検知装置Ｂ０２の第１センサー３３ａで集計部５０への情報送信が行われてから第２時間ｔ２経過してから、第２検知装置Ｂ０２の第２センサー３３ｂで集計部５０への情報送信が行われる。
【００５０】
（送信の回数）
第１センサー３３ａ及び第２センサー３３ｂは、同じデータを集計部５０に対して、複数回送信する形態であってもよい。
【００５１】
本実施形態では、第１センサー３３ａ及び第２センサー３３ｂが、情報を検知する機器と共に、情報を送信する通信部を含む形態を説明した。しかしながら、情報を検知する機器と、情報を送信する通信部とは別体で構成されてもよい。
この場合には、第１センサー３３ａ及び第２センサー３３ｂで検知した情報は、１つの通信部から集計部５０に送信される形態であってもよい。
【００５２】
（検知装置で検知する情報）
本実施形態では、検知部３０の第１センサー３３ａ及び第２センサー３３ｂが温度に関する情報を検知する例を説明した。
しかしながら、検知部３０が他の情報を検知する形態であってもよい。
例えば、検知部３０の第１センサー３３ａ及び第２センサー３３ｂが、振動、音、湿度、気圧、空気中の二酸化炭素含有率、空気中の酸素含有率、空気中の特定物質の検出（例えば、焦げた物質の検出）の少なくとも１つを行う形態であってもよい。
【００５３】
（集計部５０）
集計部５０は、第１センサー３３ａ及び第２センサー３３ｂと通信を行うコンピューター若しくは携帯端末である。
集計部５０は、検知部３０の検知装置（第１検知装置Ｂ０１〜第１２検知装置Ｂ１２）のそれぞれの第１センサー３３ａ及び第２センサー３３ｂから、検知した温度情報と時間情報と識別情報を受信し、集計を行う。
【００５４】
具体的には、集計部５０は、検知部３０の検知装置（第１検知装置Ｂ０１〜第１２検知装置Ｂ１２）のそれぞれの第１センサー３３ａ及び第２センサー３３ｂから受信した情報（センサーの識別情報、温度情報、時間情報）に基づいて、所定の画面（第１画面Ｐ１、第２画面Ｐ２）を表示可能な情報を出力する。
出力は、ネットワークを介して他の情報端末に送信する形態であってもよいし、集計部５０の表示部に表示する形態であってもよい。
また、出力が、ネットワークを介して他の情報端末に送信する形態である場合には、集計部５０は表示部を有さない形態であってもよい。
【００５５】
なお、集計部５０は、１つの筐体で構成されてもよい。しかしながら、集計部５０は、中継部と本体部とで構成されてもよい。当該中継部は、第１検知装置Ｂ０１〜第１２検知装置Ｂ１２のそれぞれの第１センサー３３ａ及び第２センサー３３ｂから送信された温度情報などを受信する。当該本体部は、当該中継部からこれらの情報を受信する。
【００５６】
第１画面Ｐ１は、検知したセンサーの名称、検知したセンサーの識別情報、検知した温度情報、検知した時間情報の関係を示す一覧表を有する（図６参照）。
図６では、センサー名と識別番号を以下のように示す。
第１検知装置Ｂ０１の第１センサー３３ａのセンサー名を「Ｂ０１−１」とし、センサー識別情報を「ＦＡ３Ｅ９１ＡＥＤ０７４」とする。
第１検知装置Ｂ０１の第２センサー３３ｂのセンサー名を「Ｂ０１−２」とし、センサー識別情報を「ＤＡ７Ｆ０３１Ｂ３６５９」とする。
第２検知装置Ｂ０２の第１センサー３３ａのセンサー名を「Ｂ０２−１」とし、センサー識別情報を「ＦＥＣＤＣ０５０ＡＥ１Ｆ」とする。
第２検知装置Ｂ０２の第２センサー３３ｂのセンサー名を「Ｂ０２−２」とし、センサー識別情報を「Ｅ６Ｅ９４０ＡＥ３５２Ｂ」とする。
第３検知装置Ｂ０３の第１センサー３３ａのセンサー名を「Ｂ０３−１」とし、センサー識別情報を「ＣＤ４０ＦＤＥＥ２ＣＡＤ」とする。
第３検知装置Ｂ０３の第２センサー３３ｂのセンサー名を「Ｂ０３−２」とし、センサー識別情報を「ＣＢ２ＡＡ９Ｅ９Ｂ２Ｃ９」とする。
第４検知装置Ｂ０４の第１センサー３３ａのセンサー名を「Ｂ０４−１」とし、センサー識別情報を「Ｆ２Ｃ６４８３０Ｄ７５４」とする。
第４検知装置Ｂ０４の第２センサー３３ｂのセンサー名を「Ｂ０４−２」とし、センサー識別情報を「Ｅ２４Ｃ４Ｂ３ＦＥ３３２」とする。
第５検知装置Ｂ０５の第１センサー３３ａのセンサー名を「Ｂ０５−１」とし、センサー識別情報を「Ｅ６８６０８１Ｂ２Ｆ４Ｂ」とする。
第５検知装置Ｂ０５の第２センサー３３ｂのセンサー名を「Ｂ０５−２」とし、センサー識別情報を「ＥＦ３７Ｅ５３ＥＦ３２Ａ」とする。
第６検知装置Ｂ０６の第１センサー３３ａのセンサー名を「Ｂ０６−１」とし、センサー識別情報を「Ｅ８４３０５Ｄ６８３３５」とする。
第６検知装置Ｂ０６の第２センサー３３ｂのセンサー名を「Ｂ０６−２」とし、センサー識別情報を「Ｃ３２Ａ６Ａ９Ｂ３Ｅ１Ｆ」とする。
【００５７】
第１画面Ｐ１は、検知部３０の検知装置（第１検知装置Ｂ０１〜第１２検知装置Ｂ１２）それぞれの第１センサー３３ａと第２センサー３３ｂから集計部５０が受信した全ての情報を含む形態であってもよい。
ただし、第１センサー３３ａと第２センサー３３ｂの少なくとも一方が、同じデータを複数回送信する場合であって、２回以上同じデータを集計部５０が受信した場合には、２回目以降に受信した重複データを第１画面Ｐ１に含めない形態であってもよい。
また、使用者が指定した条件に合うものだけが抽出されて第１画面Ｐ１のコンテンツを形成してもよい。
例えば、検知時間が１９時２０分から１９時２１分の間の情報だけが抽出されて第１画面Ｐ１のコンテンツを形成する形態が考えられる。
【００５８】
第２画面Ｐ２は、検知部３０の検知装置（第１検知装置Ｂ０１〜第１２検知装置Ｂ１２）それぞれの第１センサー３３ａと第２センサー３３ｂの位置関係と、特定の時間帯に含まれる検知の時間情報に対応する検知情報（温度情報）を図示する（図７参照）。
第２画面Ｐ２は、第１検知装置Ｂ０１〜第１２検知装置Ｂ１２の配置位置に対応する第１表示領域Ｌ０１〜第１２表示領域Ｌ１２を有する。
【００５９】
第１表示領域Ｌ０１〜第１２表示領域Ｌ１２は、第１検知装置Ｂ０１〜第１２検知装置Ｂ１２が試験対象領域ＴＲに並べられた配列と同じように並べられる。
従って、集計部５０は、第１検知装置Ｂ０１〜第１２検知装置Ｂ１２の配列に基づいて予め設定された、第１表示領域Ｌ０１〜第１２表示領域Ｌ１２の第２画面Ｐ２上の配列を記録する。
【００６０】
次に、第１表示領域Ｌ０１の構成を説明する。
なお、第２表示領域Ｌ０２〜第１２表示領域Ｌ１２も、第１表示領域Ｌ０１と同じ構成を有する。
【００６１】
第１表示領域Ｌ０１は、第１検知装置Ｂ０１の第１センサー３３ａと第２センサー３３ｂの温度情報を図示するマークを有する。
ｚ方向上方に位置する第１センサー３３ａに対応する温度情報を示すマークが左斜め上で、ｚ方向下方に位置する第２センサー３３ｂに対応する温度情報を示すマークが右斜め下に配置される。
第１表示領域Ｌ０１のマークは、温度情報に基づいて色、形、大きさの少なくとも１つが変化する。
例えば、本実施形態では、センサーで検知した温度情報の温度が温度閾値Ｔｓｈ（例えば、Ｔｓｈ＝２６℃）未満の場合は、当該マークは白色の丸印で示され、センサーで検知した温度情報の温度が温度閾値Ｔｓｈ以上の場合は、当該マークは黒色の丸印で示される。
すなわち、第１表示領域Ｌ０１のマークの出力（第１センサー３３ａ及び第２センサー３３ｂで得られた情報の図示）は、第１検知装置Ｂ０１の第１センサー３３ａ及び第２センサー３３ｂで得られた情報と、所定の情報閾値（温度閾値Ｔｓｈ）との比較結果に基づいて、変化する。
【００６２】
図７は、第１表示領域Ｌ０１の第１センサー３３ａに対応するマーク、第６表示領域Ｌ０６の第１センサー３３ａに対応するマークと第２センサー３３ｂに対応するマーク、第１１表示領域Ｌ１１の第１センサー３３ａに対応するマーク、第１２表示領域Ｌ１２の第２センサー３３ｂに対応するマークが黒色の丸印で表示され、他のマークが白色の丸印で表示される例を示す。
この場合、第１検知装置Ｂ０１の第１センサー３３ａ、第６検知装置Ｂ０６の第１センサー３３ａと第２センサー３３ｂ、第１１検知装置Ｂ１１の第１センサー３３ａ、及び第１２検知装置Ｂ１２の第２センサー３３ｂで検知された温度情報の温度が、温度閾値Ｔｓｈ以上である状態を示している。
【００６３】
（動作手順）
次に、動作手順について説明する。
試験対象領域ＴＲの所定の位置に、負荷部１０と検知部３０が設置される。
【００６４】
本実施形態では、負荷部１０の第１負荷装置Ａ０１〜第４負荷装置Ａ０４は、第１サーバーＳ１が設置される領域に設置され、負荷部１０の第５負荷装置Ａ０５〜第８負荷装置Ａ０８は、第２サーバーＳ２が設置される領域に設置され、負荷部１０の第９負荷装置Ａ０９〜第１２負荷装置Ａ１２は、第３サーバーＳ３が設置される領域に設置され、負荷部１０の第１３負荷装置Ａ１３〜第１６負荷装置Ａ１６は、第４サーバーＳ４が設置される領域に設置される。
【００６５】
検知部３０の第１検知装置Ｂ０１は、第１負荷装置Ａ０１と第５負荷装置Ａ０５の間に設置され、検知部３０の第２検知装置Ｂ０２は、第２負荷装置Ａ０２と第６負荷装置Ａ０６の間に設置され、検知部３０の第３検知装置Ｂ０３は、第３負荷装置Ａ０３と第７負荷装置Ａ０７の間に設置され、検知部３０の第４検知装置Ｂ０４は、第４負荷装置Ａ０４と第８負荷装置Ａ０８の間に設置される。
【００６６】
検知部３０の第５検知装置Ｂ０５は、第５負荷装置Ａ０５と第９負荷装置Ａ０９の間に設置され、検知部３０の第６検知装置Ｂ０６は、第６負荷装置Ａ０６と第１０負荷装置Ａ１０の間に設置され、検知部３０の第７検知装置Ｂ０７は、第７負荷装置Ａ０７と第１１負荷装置Ａ１１の間に設置され、検知部３０の第８検知装置Ｂ０８は、第８負荷装置Ａ０８と第１２負荷装置Ａ１２の間に設置される。
【００６７】
検知部３０の第９検知装置Ｂ０９は、第９負荷装置Ａ０９と第１３負荷装置Ａ１３の間に設置され、検知部３０の第１０検知装置Ｂ１０は、第１０負荷装置Ａ１０と第１４負荷装置Ａ１４の間に設置され、検知部３０の第１１検知装置Ｂ１１は、第１１負荷装置Ａ１１と第１５負荷装置Ａ１５の間に設置され、検知部３０の第１２検知装置Ｂ１２は、第１２負荷装置Ａ１２と第１６負荷装置Ａ１６の間に設置される。
【００６８】
試験対象領域ＴＲの空調設備Ｃ（第１エアーコンディショナーＣ１〜第４エアーコンディショナーＣ４）の運転が開始される。
なお、空調設備Ｃの部分的な試験を行うために、第１エアーコンディショナーＣ１〜第４エアーコンディショナーＣ４の一部だけを運転させる形態であってもよい。
【００６９】
第１負荷装置Ａ０１〜第１６負荷装置Ａ１６への電力供給が開始される。
第１負荷装置Ａ０１〜第１６負荷装置Ａ１６のそれぞれにおいて、電力供給に基づいて抵抗部１３の抵抗器が発熱し、冷却部１１からの冷却風が、抵抗部１３で温められ、排気誘導部１５を介して排出される。
【００７０】
第１負荷装置Ａ０１〜第４負荷装置Ａ０４で発生する熱量が、通常第１サーバーＳ１で発生する熱量と同等になるように、第１負荷装置Ａ０１〜第４負荷装置Ａ０４のそれぞれの操作部１７を使って、抵抗部１３への電力供給が調整される。
【００７１】
第５負荷装置Ａ０５〜第８負荷装置Ａ０８で発生する熱量が、通常第２サーバーＳ２で発生する熱量と同等になるように、第５負荷装置Ａ０５〜第８負荷装置Ａ０８のそれぞれの操作部１７を使って、抵抗部１３への電力供給が調整される。
【００７２】
第９負荷装置Ａ０９〜第１２負荷装置Ａ１２で発生する熱量が、通常第３サーバーＳ３で発生する熱量と同等になるように、第９負荷装置Ａ０９〜第１２負荷装置Ａ１２のそれぞれの操作部１７を使って、抵抗部１３への電力供給が調整される。
【００７３】
第１３負荷装置Ａ１３〜第１６負荷装置Ａ１６で発生する熱量が、通常第４サーバーＳ４で発生する熱量と同等になるように、第１３負荷装置Ａ１３〜第１６負荷装置Ａ１６のそれぞれの操作部１７を使って、抵抗部１３への電力供給が調整される。
【００７４】
検知部３０の第１検知装置Ｂ０１〜第１２検知装置Ｂ１２がオン状態にされ、温度情報の検知、及び集計部５０への送信が行われる。
【００７５】
集計部５０は、検知部３０の第１検知装置Ｂ０１〜第１２検知装置Ｂ１２のそれぞれの第１センサー３３ａ及び第２センサー３３ｂから、検知した温度情報と時間情報と識別情報を受信し、第１画面Ｐ１と第２画面Ｐ２を表示可能な情報を出力する。
【００７６】
（効果）
無線通信により、複数の検知装置を含む検知部３０で得られた情報を集計部５０が受信するため、試験対象領域ＴＲへの配線が容易で且つ、同じ時間帯に複数の情報を集計部５０に集めることが可能になる。
【００７７】
検知装置のそれぞれは、上下方向に複数のセンサーを有するため、温度などの検知情報について、ｚ方向（高さ方向）の違いによる検知結果の差異を視認させることが可能になる。
【００７８】
検知装置それぞれのセンサーが、タイミングをずらして送信する場合には、集計部５０が複数の異なる情報を同じ時間帯に到達した情報について、同じ時刻に到達する場合に比べて、受信し損ねる可能性を低くすることが出来る。
【００７９】
検知装置それぞれのセンサーが、同じ情報を複数回送信する場合には、複数回の送信のうち何れかを集計部５０が受信することにより、センサーからの情報を受信し損ねる可能性を低くすることが出来る。
【００８０】
本実施形態の試験システム１を、空調設備Ｃを含む試験対象領域ＴＲに用いることにより、当該試験対象領域ＴＲの所定の場所（第１検知装置Ｂ０１〜第１２検知装置Ｂ１２を設置した場所の周囲）の温度情報、当該試験対象領域ＴＲの温度分布などを知ることが可能になる。温度情報などにより、負荷部１０の代わりにサーバーＳを設置した場合に、試験対象領域ＴＲの空調設備ＣがサーバーＳの冷却を適切に行うことが出来るか否か、に関する負荷試験を行うことが可能になる。
【００８１】
（音による警告出力）
所定の画面の出力に加えて、特定の場合に音の出力が行われてもよい。
例えば、集計部５０は、検知部３０（第１検知装置Ｂ０１〜第１２検知装置Ｂ１２）のいずれかで得られた温度情報の温度が温度閾値Ｔｓｈ以上に高い場合に、警告音、当該検知装置に異常がある旨の音声などの出力を行う。
音の出力（警告音、所定の音声などの出力）は、集計部５０のスピーカー（不図示）が行う形態でもよいし、他の機器に行わせてもよい。
すなわち、第１検知装置Ｂ０１で得られた情報と、所定の情報閾値（温度閾値Ｔｓｈ）との比較結果に基づいて、音の出力も行われる。
【００８２】
これにより、画面表示だけの形態よりも、使用者に異常がある状態などを認識させやすく出来る。
【００８３】
（電気プラグの情報検知）
本実施形態では、温度などを検知するセンサー（第１センサー３３ａ、第２センサー３３ｂ）が、２つの負荷装置の間などに設置された検知部３０に含まれる形態を説明したが、負荷装置の電気プラグＰＬの近傍に更に設けられても良い（図９参照）。
この場合、電気プラグＰＬ及び電気プラグＰＬが差し込まれるコンセントＳＫの温度などを電気プラグＰＬの近傍に設けられたセンサー（プラグ用センサーＳＰ）が検知し、検知した情報は当該プラグ用センサーＳＰから集計部５０に送信される。
これにより、負荷装置を使った空調試験時における、電気プラグＰＬ及び電気プラグＰＬが差し込まれるコンセントＳＫの温度情報などを得ることが可能になる。
なお、プラグ用センサーＳＰは、電気プラグＰＬの近傍として、電気プラグＰＬの外部に設けられてもよいし、電気プラグＰＬの内部に設けられてもよい。
【００８４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態及びその変形は、発明の範囲及び要旨に含まれると同様に、特許請求の範囲に記載された発明とその均等の範囲に含まれるものである。
【符号の説明】
【００８５】
１  試験システム
１０  負荷部
１１  冷却部
１３  抵抗部
１５  排気誘導部
１７  操作部
３０  検知部
３１  保持部
３１ａ  センサー設置部
３１ｂ  土台部
３３ａ  第１センサー
３３ｂ  第２センサー
５０  集計部
Ａ０１〜Ａ１６  第０１負荷装置〜第１６負荷装置
Ｂ０１〜Ｂ１２  第０１検知装置〜第１２検知装置
Ｃ  空調設備
Ｃ１〜Ｃ４  第１エアーコンディショナー〜第４エアーコンディショナー
Ｌ０１〜Ｌ１２  第０１表示領域〜第１２表示領域
Ｐ１  第１画面
Ｐ２  第２画面
ＰＬ  負荷装置の電気プラグ
Ｓ  サーバー
Ｓ１〜Ｓ４  第１サーバー〜第４サーバー
ＳＫ  コンセント
ＳＰ  プラグ用センサー
ｔ１  第１時間（センサーの検知間隔）
ｔ２  第２時間（センサーの送信間隔）
ＴＲ  試験対象領域
Ｔｓｈ  温度閾値
【図１】
0006953051.tif 000002
【図２】
0006953051.tif 000003
【図３】
0006953051.tif 000004
【図４】
0006953051.tif 000005
【図５】
0006953051.tif 000006
【図６】
0006953051.tif 000007
【図７】
0006953051.tif 000008
【図８】
0006953051.tif 000009
【図９】
0006953051.tif 000010